(57)【要約】【課題】高圧縮状態で芯線を圧接することにより、芯線の表面に形成された被膜を除去し、接触抵抗を安定させる。【解決手段】本発明の圧接コネクタ１０は、電線Ｗが圧入される圧入溝３３を有する圧接刃３２が対向状態をなして一対設けられ、両圧接刃３２が近接して配置されてなる圧接端子３０と、両圧接刃３２の間に形成された差込溝３４に差し込まれることによって電線Ｗを圧入溝３３の奥方に押し込む補助刃４０と、圧接端子３０における圧入溝３３の奥方側の端部を支持する待受け側本体部２１と補助刃４０を支持する蓋側本体部２２とがヒンジ部２３によって開閉可能に連結されてなり、待受け側本体部２１と蓋側本体部２２を閉塞することにより補助刃４０が差込溝３４に差し込まれるハウジング２０と、圧入溝３３の奥端部に設けられ、圧入溝３３に押し込まれた電線Ｗを受ける受け部３５とを備えた構成とした。【選択図】図３
2011044257.tif 000002
【特許請求の範囲】
【請求項１】
電線が圧入される圧入溝を有する圧接刃が対向状態をなして一対設けられ、両圧接刃が近接して配置されてなる圧接端子と、
前記両圧接刃の間に形成された差込溝に差し込まれることによって前記電線を前記圧入溝の奥方に押し込む補助刃と、
前記圧接端子における前記圧入溝の奥方側の端部を支持する一側本体部と前記補助刃を支持する他側本体部とがヒンジ部によって開閉可能に連結されてなり、前記一側本体部と前記他側本体部を閉塞することにより前記補助刃が前記差込溝に差し込まれるハウジングと、
前記圧入溝の奥端部に設けられ、前記圧入溝に押し込まれた前記電線を受ける受け部とを備えた圧接コネクタ。
【請求項２】
前記両圧接刃は、前記補助刃と略同じ板厚だけ離間して配置されていることを特徴とする請求項１に記載の圧接コネクタ。
【請求項３】
電線が圧入される圧入溝を有する圧接刃が設けられた圧接端子と、
対向状態をなして近接して配置された一対の補助刃を有し、両補助刃の間に形成された差込溝に前記圧接刃が差し込まれることによって前記電線を前記圧入溝の奥方に押し込む補助刃対と、
前記圧接端子における前記圧入溝の奥方側の端部を支持する一側本体部と前記補助刃対を支持する他側本体部とがヒンジ部によって開閉可能に連結されてなり、前記一側本体部と前記他側本体部を閉塞することにより前記圧接刃が前記差込溝に差し込まれるハウジングと、
前記圧入溝の奥端部に設けられ、前記圧入溝に押し込まれた前記電線を受ける受け部とを備えた圧接コネクタ。
【請求項４】
前記両補助刃は、前記圧接刃と略同じ板厚だけ離間して配置されていることを特徴とする請求項３に記載の圧接コネクタ。
【請求項５】
前記補助刃は、前記差込溝に差し込まれたときに前記圧入溝と対応して配置された凹部を備え、前記電線は、前記受け部と前記凹部との間でこれらが近づく方向に圧接されることを特徴とする請求項１ないし請求項４のいずれか一項に記載の圧接コネクタ。
【発明の詳細な説明】
【技術分野】
【０００１】
本発明は、圧接コネクタに関する。
【背景技術】
【０００２】
従来、一対の圧接刃が対向状態をなして配置されてなる圧接端子を有する圧接コネクタとして、下記特許文献１ないし４に記載のものが知られている。各圧接刃には電線が圧入される圧入溝が形成されている。圧接端子には押込部材が装着されるようになっており、この押込部材によって電線が圧入溝の奥方に押し込まれるようになっている。電線が圧入溝に押し込まれると、圧入溝のエッジで電線の被覆が切断され、これによって露出した芯線が圧接刃に接触する。これにより、芯線が一対の圧接刃に接触し、電気的接続の信頼性を高めることができる。
【先行技術文献】
【特許文献】
【０００３】
【特許文献１】特開平８−１８５９０７号公報
【特許文献２】特開平７−１２２３０６号公報
【特許文献３】特開平１０−１６２８７２号公報
【特許文献４】特開平６−３８３３８号公報
【発明の概要】
【発明が解決しようとする課題】
【０００４】
しかしながら、上記の圧接コネクタでは、芯線が一対の圧接刃に接触しているものの、溝の長さ方向にフリーとなっているため、芯線が溝の長さ方向に変形して圧縮力が緩和され、芯線を高圧縮状態で圧接することはできない。このため、芯線に非導電性の被膜が形成されている場合には、被膜を削り取ることができず、接触抵抗が高くなるおそれがある。
【０００５】
本発明は上記のような事情に基づいて完成されたものであって、高圧縮状態で芯線を圧接することにより、芯線の表面に形成された被膜を除去し、接触抵抗を安定させることを目的とする。
【課題を解決するための手段】
【０００６】
＜本発明の構成１＞
本発明の圧接コネクタは、電線が圧入される圧入溝を有する圧接刃が対向状態をなして一対設けられ、両圧接刃が近接して配置されてなる圧接端子と、両圧接刃の間に形成された差込溝に差し込まれることによって電線を圧入溝の奥方に押し込む補助刃と、圧接端子における圧入溝の奥方側の端部を支持する一側本体部と補助刃を支持する他側本体部とがヒンジ部によって開閉可能に連結されてなり、一側本体部と他側本体部を閉塞することにより補助刃が差込溝に差し込まれるハウジングと、圧入溝の奥端部に設けられ、圧入溝に押し込まれた電線を受ける受け部とを備えた構成としたところに特徴を有する。
【０００７】
このような構成によると、まず、電線を圧入溝の入口部分に配置し、他側本体部を一側本体部に重ねるようにして閉塞することにより、補助刃を差込溝に差し込む。電線が補助刃によって圧入溝に圧入されると、圧入溝のエッジによって電線の被覆が切断されて芯線が露出し、この芯線が一対の圧接刃に接触する。そして、一側本体部と他側本体部が閉塞状態に至ると、芯線が一対の受け部と補助刃との間でせん断力を受けた状態となって圧入溝の長さ方向に圧接される。このため、芯線が高圧縮状態で圧接され、被膜を削り取ることができ、接触抵抗を安定させることができる。
【０００８】
＜本発明の構成２＞
また、本発明の圧接コネクタは、電線が圧入される圧入溝を有する圧接刃が設けられた圧接端子と、対向状態をなして近接して配置された一対の補助刃を有し、両補助刃の間に形成された差込溝に圧接刃が差し込まれることによって電線を圧入溝の奥方に押し込む補助刃対と、圧接端子における圧入溝の奥方側の端部を支持する一側本体部と補助刃対を支持する他側本体部とがヒンジ部によって開閉可能に連結されてなり、一側本体部と他側本体部を閉塞することにより圧接刃が差込溝に差し込まれるハウジングと、圧入溝の奥端部に設けられ、圧入溝に押し込まれた電線を受ける受け部とを備えた構成としてもよい。
【０００９】
このような構成によると、圧接刃が差込溝に差し込まれることにより、芯線が一対の補助刃と受け部との間でせん断力を受けた状態となって圧入溝の長さ方向に圧接される。このため、芯線が高圧縮状態で圧接され、被膜を削り取ることができ、接触抵抗を安定させることができる。
【００１０】
本発明の実施の態様として、以下の構成が好ましい。
上記構成１において、両圧接刃は、補助刃と略同じ板厚だけ離間して配置されている構成としてもよい。
このような構成にすると、一対の受け部と補助刃とに挟まれて電線がせん断力を受けた場合に、電線が撓みにくくなり、圧縮力が弱まることを規制できる。
【００１１】
上記構成２において、両補助刃は、圧接刃と略同じ板厚だけ離間して配置されている構成としてもよい。
このような構成によると、一対の補助刃と受け部とに挟まれて電線がせん断力を受けた場合に、電線が撓みにくくなり、圧縮力が弱まることを規制できる。
【００１２】
補助刃は、差込溝に差し込まれたときに圧入溝と対応して配置された凹部を備え、電線は、受け部と凹部との間でこれらが近づく方向に圧接される構成としてもよい。
このような構成によると、上記構成１では電線を一対の受け部と凹部との間で圧接することができ、上記構成２では電線を一対の凹部と受け部との間で圧接することができるため、芯線を安定した状態で圧接することができる。
【発明の効果】
【００１３】
本発明によれば、高圧縮状態で芯線を圧接することにより、芯線の表面に形成された被膜を除去し、接触抵抗を安定させることができる。
【図面の簡単な説明】
【００１４】
【図１】実施形態１における圧接コネクタの側面図
【図２】圧接コネクタの平面図
【図３】電線を圧接端子と補助刃との間で挟み付ける前の状態を示した斜視図
【図４】電線を圧接端子と補助刃との間で挟み付けた状態を示した斜視図
【図５】電線を圧入溝の入口部分に載置した状態を示した断面図
【図６】図５の状態から補助刃によって電線を圧入溝に圧入し、芯線が両受け部に接触した状態を示した断面図
【図７】図６の状態よりも電線を受け部に押し込み、芯線を補助刃と両受け部との間で上下方向から圧接した状態を示した断面図
【図８】図７におけるＡ−Ａ線断面図
【図９】実施形態２において電線を補助刃対と圧接端子との間で挟み付ける前の状態を示した斜視図
【発明を実施するための形態】
【００１５】
＜実施形態１＞
本発明の実施形態１を図１ないし図８の図面を参照しながら説明する。本実施形態の圧接コネクタ１０は、図１に示すように、ハウジング２０、一対の圧接端子３０、一対の補助刃４０などを備えて構成されている。ハウジング２０は合成樹脂製であって、待受け側本体部２１と一対の蓋側本体部２２とがそれぞれヒンジ部２３によって連結された構成である。
【００１６】
ヒンジ部２３は可撓性を有し、図２に示すように、所定の間隔を空けて並列に配置された一対の可撓片部２３Ａを備えている。蓋側本体部２２は、ヒンジ部２３を介して待受け側本体部２１に対して開閉可能に連結されている。なお、待受け側本体部２１は本発明でいう「一側本体部」に対応し、蓋側本体部２２は本発明でいう「他側本体部」に対応している。
【００１７】
蓋側本体部２２におけるヒンジ部２３と反対側の側縁部には、一対のロック爪２４が所定の間隔を空けて設けられている。一方、待受け側本体部２１には、両ロック爪２４が嵌り込む一対のロック孔２５が設けられている。蓋側本体部２２を待受け側本体部２１に対して閉塞した状態にすると、両ロック爪２４が両ロック孔２５に嵌り込み、ロック爪２４の先端に設けられた係止突部２４Ａがロック孔２５の孔縁部に係止することにより、蓋側本体部２２が待受け側本体部２１に対して閉塞状態に保持される。
【００１８】
蓋側本体部２２には、補助刃４０が立設されており、待受け側本体部２１には、一対の圧接端子３０が立設されている。両圧接端子３０は、図２に示すように、基部３１によって連結されている。このため、両圧接端子３０に電線Ｗが接続されると、両電線Ｗは電気的に接続される。なお、基部３１は、待受け側本体部２１に対して圧入もしくはインサート成形されており、補助刃４０は、蓋側本体部２２に対して圧入もしくはインサート成形されている。
【００１９】
圧接端子３０は、金属板材を打ち抜いた後に基部３１側を略Ｕ字状に曲げ加工することによって形成されており、一対の圧接刃３２が対向状態をなして近接して配置された構成である。両圧接刃３２は、その板厚一枚分の間隔を空けて配置されている。両圧接刃３２の間には、差込溝３４が形成されている。この差込溝３４には、補助刃４０が略密接して差し込まれるようになっている。すなわち、補助刃４０は、圧接刃３２と略同じ板厚を有している。
【００２０】
補助刃４０は、金属製もしくは合成樹脂製とされており、横長略方形の断面形状をなす板状に構成されている。補助刃４０は、図１の開放状態において蓋側本体部２２の上面から上方に突出している。このため、ヒンジ部２３を中心として蓋側本体部２２を待受け側本体部２１に閉じると、補助刃４０は圧接端子３０の差込溝３４に対して上方から差し込まれる。また、補助刃４０の上部には、スリット状の凹部４１が形成されており、凹部４１の入口部分４１Ａは、徐々に間口が広くなるように形成されている。補助刃４０を差込溝３４に差し込むと、凹部４１は圧入溝３３と対応して配置される。
【００２１】
圧接刃３２には、略Ｕ字状をなす圧入溝３３が形成されている。圧入溝３３は、圧接刃３２の上端における幅方向中央から下方に切り欠くことによって形成されている。圧入溝３３の溝幅は、電線Ｗの芯線Ｗ１の直径よりも小さめに設定されている。また、圧入溝３３の入口部分３３Ａは、徐々に間口が広くなるように形成されている。このため、図３に示すように、電線Ｗを圧入溝３３の入口部分３３Ａと凹部４１の入口部分４１Ａとの間に配置し、図４に示すように、補助刃４０を差込溝３４に差し込んで電線Ｗを圧入溝３３に圧入していくと、被覆Ｗ２が圧入溝３３のエッジにより切断されて、そこに露出した芯線Ｗ１が圧接刃３２に接触し、電線Ｗと圧接端子３０とが電気的に接続されるようになっている。
【００２２】
ところで、本実施形態の電線Ｗは、いわゆるアルミ電線であって、芯線Ｗ１の材料としてアルミもしくはアルミ合金が用いられている。アルミ電線は、銅電線と比較して表面が酸化されやすく、非導電性の被膜が形成されやすいため、銅電線と同じような圧接方法では被膜を十分に削り取ることができず、接触抵抗が増大するおそれがある。このため、本実施形態ではアルミ電線の被膜を除去するために、様々な改善が施されている。以下、その改善点について説明する。
【００２３】
圧入溝３３の奥端部には、受け部３５が形成されている。図５に示すように、電線Ｗを圧入溝３３の入口部分３３Ａに載置した後に、補助刃４０によって電線Ｗを圧入溝３３に圧入していくと、図６に示すように、芯線Ｗ１が受け部３５に接触する。ここから蓋側本体部２２を待受け側本体部２１に対してさらに押し込み、閉塞状態に至ると、図７に示すように、芯線Ｗ１が高圧縮状態で圧接される。このとき、芯線Ｗ１は、図８に示すように、一対の受け部３５と補助刃４０との間でせん断力を受けるものの、補助刃４０が差込溝３４に対して略密接して差し込まれているため、芯線Ｗ１を上下方向に撓ませる空間がほとんど存在しないことになる。したがって、芯線Ｗ１は直線形状のままであり、芯線Ｗ１の軸線方向と補助刃４０の押し込み方向とがほぼ直交した状態に保持される。これにより、補助刃４０から受ける力が逃げることはなく、両受け部３５に対して芯線Ｗ１が非常に強い力で押し当てられる。この結果、芯線Ｗ１の表面に形成された被膜が除去されるとともに、芯線Ｗ１を構成する素線および両受け部３５が互いに凝着し、導通可能に接続される。
【００２４】
本実施形態は以上のような構成であって、続いてその作用を説明する。まず、図５に示すように、電線Ｗを圧入溝３３の入口部分３３Ａに載置し、ヒンジ部２３を中心として蓋側本体部２２を待受け側本体部２１に向けて閉じる。すると、補助刃４０が差込溝３４に差し込まれ、図６に示すように、電線Ｗが補助刃４０に押し込まれて圧入溝３３に圧入される。この間、電線Ｗの被覆Ｗ２は、圧入溝３３のエッジによって切断されるとともに、これによって露出した芯線Ｗ１が圧接刃３２に接触し、両受け部３５にも接触する。芯線Ｗ１が両受け部３５に受けられた状態では、芯線Ｗ１が凹部４１の奥端部と両受け部３５とによって軸心側に圧縮され、上下方向から安定した状態で圧接される。
【００２５】
そして、ここからさらに補助刃４０を押し込んでいくと、図７に示すように、芯線Ｗ１は凹部４１の奥端部と両受け部３５とによって上下方向からせん断力を受けて、高圧縮状態で圧接されることにより、芯線Ｗ１を構成する素線および両圧接刃３２が互いに凝着し、接触抵抗が安定した状態で導通可能に接続される。こうして、両圧接端子３０にそれぞれ接続された両電線Ｗが電気的に接続される。この状態では両ロック爪２４が両ロック孔２５に嵌合し、両係止突部２４Ａが両ロック孔２５の孔縁部に係止することにより、待受け側本体部２１と蓋側本体部２２とが閉塞状態に保持される。
【００２６】
以上のように本実施形態では補助刃４０が差込溝３４に対して略密接して差し込まれ、この補助刃４０と両受け部３５とによって芯線Ｗ１を上下方向から高圧縮状態で圧接するようにしたから、芯線Ｗ１の表面に形成された被膜が除去されるとともに、芯線Ｗ１を構成する素線および両圧接刃３２を凝着させることができる。これにより、接触抵抗を安定させることができる。また、補助刃４０に圧入溝３３と対応する凹部４１を設けたから、芯線Ｗ１を凹部４１の奥端部と両受け部３５とによって上下方向から安定した状態で圧接することができる。
【００２７】
＜実施形態２＞
次に、本発明の実施形態２を図９の図面を参照しながら説明する。図９は、本実施形態における圧接コネクタの一部を拡大して示した斜視図である。本実施形態では、実施形態１の圧接端子３０の代わりに、一枚の圧接刃３２によって構成された圧接端子３６が設けられており、実施形態１の補助刃４０の代わりに、二枚の補助刃４２からなる補助刃対４３が設けられている。なお、実施形態１と同一の構成については同一の符号を用いるものとし、実施形態１と重複する構成、作用、および効果についてはその説明を省略する。
【００２８】
両補助刃４２は、圧接刃３２の板厚一枚分の間隔を空けて対向状態で配置されている。両補助刃４２の間には、圧接刃３２が差し込まれる差込溝４４が設けられている。圧接刃３２を差込溝４４に差し込むと、両補助刃４２によって電線Ｗが圧入溝３３に圧入され、圧入溝３３のエッジによって電線Ｗの被覆Ｗ２が切断される。芯線Ｗ１が受け部３５に押し込まれると、芯線Ｗ１が両補助刃４２と受け部３５とによって上下方向からせん断力を受けて、高圧縮状態で圧接される。これにより、芯線Ｗ１の表面に形成された被膜が除去されるとともに、芯線Ｗ１を構成する素線および圧接刃３２を凝着させることができる。また、実施形態１と比較して、圧接刃３２の枚数が半分しかないため、電線Ｗを圧入溝３３に圧入するための操作力が半分で済み、操作性を向上させることができる。
【００２９】
＜他の実施形態＞
本発明は上記記述及び図面によって説明した実施形態に限定されるものではなく、例えば次のような実施形態も本発明の技術的範囲に含まれる。
（１）上記実施形態では補助刃に凹部を形成しているものの、本発明によると、凹部を備えていない補助刃としてもよい。
（２）上記実施形態では圧接端子３０が一対設けられているものの、本発明によると、両圧接端子３０の一方はバレル形状をなす圧着部としてもよい。
（３）実施形態１では補助刃４０の板厚と差込溝３４の間隔とが略同じに設定されているものの、芯線Ｗ１を高圧縮状態で圧接可能な範囲であれば、補助刃４０の板厚を差込溝３４の間隔よりも小さめに設定してもよい。実施形態２でも同様に、圧接刃３２の板厚を差込溝４４の間隔よりも小さめに設定してもよい。
【符号の説明】
【００３０】
１０…圧接コネクタ
２０…ハウジング
２１…待受け側本体部（一側本体部）
２２…蓋側本体部（他側本体部）
２３…ヒンジ部
３０…圧接端子
３２…圧接刃
３３…圧入溝
３４…差込溝
３５…受け部
３６…圧接端子
４０…補助刃
４１…凹部
４２…補助刃
４３…補助刃対
４４…差込溝
Ｗ…電線
Ｗ１…芯線
Ｗ２…被覆
【図１】
2011044257.tif 000003
【図２】
2011044257.tif 000004
【図３】
2011044257.tif 000005
【図４】
2011044257.tif 000006
【図５】
2011044257.tif 000007
【図６】
2011044257.tif 000008
【図７】
2011044257.tif 000009
【図８】
2011044257.tif 000010
【図９】
2011044257.tif 000011